(57)【要約】      （修正有）【課題】導入器またはカテーテルを必要とせず、組織への直接の挿入のために十分に構造的に強固で、同時に制御可能かつ予測可能な加熱パターンを生じる、マイクロ波アンテナプローブを提供する。【解決手段】マイクロ波エネルギー治療用のマイクロ波アンテナアセンブリ１０であって：内側導体および外側導体を有する近位放射部分２２であって、各導体は、この近位放射部分を通って延び、この内側導体は、この外側導体の内部に配置されている、近位放射部分；遠位放射部分２０であって、この近位部分の遠位に配置されており、この内側導体と単一の片として一体的に形成されている、遠位放射部分；ならびに長手軸方向の厚さを有する接合部材１８であって、この接合部材の少なくとも一部分がこの近位部分と遠位部分との間に配置されており、その結果、この内側導体が、この接合部材を通って延びる、接合部材を備える、マイクロ波アンテナアセンブリ。【選択図】図１
2006314785.tif 000002
【特許請求の範囲】
【請求項１】
マイクロ波エネルギー治療を適用するためのマイクロ波アンテナアセンブリであって：
内側導体および外側導体を有する、近位放射部分であって、各導体は、該近位放射部分を通って延び、該内側導体は、該外側導体の内部に配置されている、近位放射部分；
遠位放射部分であって、該近位部分の遠位に配置されており、そして該内側導体と単一の片として一体的に形成されている、遠位放射部分；ならびに
長手軸方向の厚さを有する接合部材であって、該接合部材の少なくとも一部分が、該近位部分と遠位部分との間に配置されており、その結果、該内側導体が、該接合部材を通って延びる、接合部材、
を備え、
該内側導体および該遠位放射部分は、該接合部材を強化して、該接合部材にさらなる堅さを提供している、マイクロ波アンテナアセンブリ。
【請求項２】
温度センサ、圧力センサ、および流れセンサからなる群より選択される、センサをさらに備える、請求項１に記載のマイクロ波アンテナアセンブリ。
【請求項３】
前記接合部材の内部に少なくとも部分的に長手軸方向に配置された、補強部材をさらに備えて、該接合部材にさらなる堅さを提供する、請求項１または２のいずれか１項に記載のマイクロ波アンテナアセンブリ。
【請求項４】
前記補強部材が、前記遠位放射部分内へとさらに延びている、請求項１〜３のいずれか１項に記載のマイクロ波アンテナアセンブリ。
【請求項５】
前記内側導体が、前記接合部材を通って延び、そして前記遠位放射部分と電気連絡している、請求項１〜４のいずれか１項に記載のマイクロ波アンテナアセンブリ。
【請求項６】
前記補強部材が、前記内側導体と一体的に形成されている、請求項１〜５のいずれか１項に記載のマイクロ波アンテナアセンブリ。
【請求項７】
前記補強部材、内側導体および遠位放射部分が、一体的に形成されている、請求項１〜７のいずれか１項に記載のマイクロ波アンテナアセンブリ。
【請求項８】
前記近位放射部分の少なくとも一部分を通って延び、そして前記アセンブリの表面で開いている管腔をさらに備える、請求項１〜７のいずれか１項に記載のマイクロ波アンテナアセンブリ。
【請求項９】
前記マイクロ波アンテナアセンブリが、マイクロ波エネルギーの供給源に接続されている、請求項１〜８のいずれか１項に記載のマイクロ波アンテナアセンブリ。
【請求項１０】
前記近位放射部分が、単一片である、請求項１〜９のいずれか１項に記載のマイクロ波アンテナアセンブリ。
【請求項１１】
前記近位放射部分が、可変の壁厚を有する、請求項１〜１０のいずれか１項に記載のマイクロ波アンテナアセンブリ。
【請求項１２】
前記近位放射部分が、少なくとも部分的に、冷却チャンバによって覆われている、請求項１〜１１のいずれか１項に記載のマイクロ波アンテナアセンブリ。
【発明の詳細な説明】
【技術分野】
【０００１】
記載されるデバイスは、一般に、マイクロ波アンテナプローブ、および例えば、組織切除用途における、これらのプローブの使用方法に関する。より具体的には、記載されるデバイスは、疾患の診断および処置のために、組織内に直接挿入され得る、マイクロ波アンテナに関する。
【背景技術】
【０００２】
癌のような疾患の処置において、特定の型の癌細胞は、高温（この温度は、健常な細胞に対して通常損傷を与える温度より、わずかに低い）において変性することが見出されている。これらの型の処置（一般に、高温療法として公知である）は、代表的に、電磁放射線を利用して、疾患細胞を、４１℃より高い温度まで加熱し、同時に、隣接する健常な細胞を、より低い温度（この温度において、非可逆的な細胞破壊が起こらない）に維持する。電磁放射線を利用して組織を加熱する、他の手順はまた、組織の切除および凝固を包含する。このようなマイクロ波切除手順（例えば、月経過多に対して実施される手順）は、代表的に、標的にされた組織を切除および凝固して、この組織を変性または殺傷するように行われる。電磁放射線療法を利用する、多くの手順およびデバイスの型が、当該分野において公知である。このようなマイクロ波療法は、代表的に、組織および器官（例えば、前立腺、心臓、および肝臓）の処置において、使用される。
【０００３】
１つの非侵襲性手順は、一般に、マイクロ波エネルギーの使用を介する、皮膚の下の組織（例えば、腫瘍）の処置を包含する。このマイクロ波エネルギーは、皮膚に非侵襲的に貫入して、下にある組織に達し得る。しかし、この非侵襲性手順は、健常な組織の、望ましくない加熱を生じ得る。従って、マイクロ波エネルギーの非侵襲的な使用は、相当な制御を必要とする。このことは、部分的に、マイクロ波放射線を適用する、より直接的かつ正確な方法が求められている理由である。
【０００４】
現在、いくつかの型のマイクロ波プローブ（例えば、単極、双極、および螺旋状）が使用されている。１つの型は、単極アンテナプローブであり、このプローブは、このプローブの端部で露出している、単一の細長マイクロ波導体からなる。このプローブは、時々、誘電性スリーブによって囲まれる。通常使用される、第二の型のマイクロ波プローブは、双極アンテナであり、このアンテナは、内側導体および外側導体を有し、誘電性物質が、この内側導体の一部分と外側導体の一部分とを隔てている、同軸状の構成からなる。これらの単極アンテナプローブおよび双極アンテナプローブにおいて、マイクロ波エネルギーは、一般に、その導体の軸から垂直に放射される。
【０００５】
代表的なマイクロ波アンテナは、長く、細い内側導体を有し、この導体は、プローブの軸に沿って延び、そして誘電性材料によって囲まれており、そしてさらに、この誘電性材料の周りを外側導体によって囲まれており、その結果、この外側導体もまた、このプローブの軸に沿って延びる。効果的な外向きへのエネルギーの放射または加熱を提供する、このプローブの別のバリエーションにおいて、外側導体の一部分または複数の部分は、選択的に取り外され得る。この型の導体は、代表的に、「漏出性導波管」アンテナまたは「漏出性同軸」アンテナと称される。このマイクロ波プローブに対する別のバリエーションは、均一なスパイラルパターン（例えば、螺旋）で形成された先端を有し、効果的な放射のために必要な構成を提供することを包含する。このバリエーションは、特定の方向（例えば、軸に対して垂直、前方への方向（すなわち、このアンテナの遠位端に向かって）、またはこれらの組み合わせ）で、エネルギーを方向付けるために使用され得る。
【０００６】
侵襲性の手順およびデバイスが開発されており、ここで、マイクロ波アンテナプローブは、正常な身体のオリフィスを通して、処置点に直接挿入され得るか、または経皮的に挿入され得るかの、いずれかである。このような侵襲性の手順およびデバイスは、潜在的に、処置される組織のよりよい温度制御を提供する。悪性の細胞を変性するために必要とされる温度と、健常な細胞を損傷する温度との差が小さいので、処置される組織に加熱が閉じ込められるように、既知の加熱パターンおよび正確な温度制御が重要である。例えば、約４１．５℃の閾値温度での高温処置は、一般に、細胞の最も悪性の増殖に対して、ほとんど効果を有さない。しかし、４３℃〜４５℃のおよその範囲より高い、わずかに上昇した温度においては、ほとんどの型の正常細胞に対する熱損傷が、慣用的に観察される。従って、健常な組織において、これらの温度を超えないように、大きく注意を払わなければならない。
【０００７】
しかし、多くの型の悪性腫瘍は、非侵襲性の技術を使用して、または健常な身体オリフィス（すなわち、容易にアクセス可能な身体の開口部）に挿入されるように設計された侵襲性アンテナプローブを使用することによって、到達および処置することが困難である。これらの型の従来のプローブは、より可撓性であり得、そしてまた、このプローブを別個に滅菌する必要性を回避し得る；しかし、これらのプローブは、構造的に弱く、そして代表的に、身体内へのアクセスを得るために、導入器またはカテーテルの使用を必要とする。さらに、導入器およびカテーテルを追加することは、必然的に、身体への切開またはアクセス開口部の直径を増加させ、これによって、このようなプローブの使用を、より侵襲性にし、そして任意の合併症が生じ得る可能性をさらに増加させる。
【０００８】
構造的により強い侵襲性プローブが存在し、そして代表的に、長く、細く、針様のアンテナプローブであり、このプローブは、身体組織に直接挿入されて、腫瘍または他の悪性腫瘍の部位へと直接接近し得る。このような剛性のプローブは、一般に、小さい直径を有し、これによって、使用を容易にすることを補助するのみでなく、患者に対して生じる外傷を減少させる。組織に直接挿入することが可能な、剛性のアンテナプローブの便利さは、これらのプローブがまた、異なる状況を考慮した、代替のさらなる使用を可能にし得ることである。しかし、このような剛性の、針様のプローブは、放射されるエネルギーの均一なパターンを提供することを失敗する点で、困難を経験し得る；そしてまた、このプローブの有効長さに沿った軸方向、およびこの長さの周りで半径方向の、均一な加熱を提供し損ない得る。従って、このようなプローブを使用する場合、加熱パターンを他の様式で制御および方向付けすることは、困難であり得る。
【発明の開示】
【発明が解決しようとする課題】
【０００９】
従って、上で議論された問題を克服することを補助し得る、マイクロ波アンテナプローブに対する必要性が残っている。また、さらなる導入器またはカテーテルを必要とせずに、組織への直接の挿入のために十分に、構造的に強固であり、同時に制御可能かつ予測可能な加熱パターンを生じる、マイクロ波アンテナプローブに対する必要性が、存在する。
【課題を解決するための手段】
【００１０】
本発明は、以下に関する：
（項目１）
マイクロ波エネルギー治療を適用するためのマイクロ波アンテナアセンブリであって：
内側導体および外側導体を有する、近位放射部分であって、各導体は、この近位放射部分を通って延び、この内側導体は、この外側導体の内部に配置されている、近位放射部分；
遠位放射部分であって、この近位部分の遠位に配置されており、そしてこの内側導体と単一の片として一体的に形成されている、遠位放射部分；ならびに
長手軸方向の厚さを有する接合部材であって、この接合部材の少なくとも一部分が、この近位部分と遠位部分との間に配置されており、その結果、この内側導体が、この接合部材を通って延びる、接合部材、
を備え、
この内側導体およびこの遠位放射部分は、この接合部材を強化して、この接合部材にさらなる堅さを提供している、マイクロ波アンテナアセンブリ。
【００１１】
（項目２）
温度センサ、圧力センサ、および流れセンサからなる群より選択される、センサをさらに備える、項目１に記載のマイクロ波アンテナアセンブリ。
【００１２】
（項目３）
上記接合部材の内部に少なくとも部分的に長手軸方向に配置された、補強部材をさらに備えて、この接合部材にさらなる堅さを提供する、項目１または２のいずれか１項に記載のマイクロ波アンテナアセンブリ。
【００１３】
（項目４）
上記補強部材が、上記遠位放射部分内へとさらに延びている、項目１〜３のいずれか１項に記載のマイクロ波アンテナアセンブリ。
【００１４】
（項目５）
上記内側導体が、上記接合部材を通って延び、そして上記遠位放射部分と電気連絡している、項目１〜４のいずれか１項に記載のマイクロ波アンテナアセンブリ。
【００１５】
（項目６）
上記補強部材が、上記内側導体と一体的に形成されている、項目１〜５のいずれか１項に記載のマイクロ波アンテナアセンブリ。
【００１６】
（項目７）
上記補強部材、内側導体および遠位放射部分が、一体的に形成されている、項目１〜７のいずれか１項に記載のマイクロ波アンテナアセンブリ。
【００１７】
（項目８）
上記近位放射部分の少なくとも一部分を通って延び、そして上記アセンブリの表面で開いている管腔をさらに備える、項目１〜７のいずれか１項に記載のマイクロ波アンテナアセンブリ。
【００１８】
（項目９）
上記マイクロ波アンテナアセンブリが、マイクロ波エネルギーの供給源に接続されている、項目１〜８のいずれか１項に記載のマイクロ波アンテナアセンブリ。
【００１９】
（項目１０）
上記近位放射部分が、単一片である、項目１〜９のいずれか１項に記載のマイクロ波アンテナアセンブリ。
【００２０】
（項目１１）
上記近位放射部分が、可変の壁厚を有する、項目１〜１０のいずれか１項に記載のマイクロ波アンテナアセンブリ。
【００２１】
（項目１２）
上記近位放射部分が、少なくとも部分的に、冷却チャンバによって覆われている、項目１〜１１のいずれか１項に記載のマイクロ波アンテナアセンブリ。
【００２２】
高強度マイクロ波アンテナアセンブリおよび使用方法が、本明細書中に記載される。このマイクロ波アンテナは、供給ラインによって発電源（例えば、発電機）に接続された、放射部分を有する。このアンテナアセンブリの近位放射部分および遠位放射部分は、接合部材によって隔てられる。補強部材が、この接合部材の内部に配置されて、構造的な剛性を増加させる。
【００２３】
（簡単な要旨）
記載される方法およびデバイスは、マイクロ波アンテナプローブ、および例えば、組織切除用途における、それらの使用方法を提供する。いくつかのバリエーションにおいて、このマイクロ波アンテナアセンブリは、近位放射部分および遠位放射部分を有する。内側導体および外側導体が、この近位放射部分を通って延び、この内側導体は、この外側導体の内部に配置されている。この内側導体は、さらに、この遠位放射部分内へと、少なくとも部分的に延びる。接合部材が、この近位放射セクションと遠位放射セクションとを隔て、この接合部材の少なくとも一部分は、この近位放射部分と遠位放射部分との間に配置される。補強部材が、少なくとも部分的に、この接合部材の内部に長手軸方向に配置され、そしてこの接合部材に、さらなる堅さを提供し、これによって、このアセンブリの全体的な構造的一体性を増加させ、そして組織内への、このアセンブリのより容易な直接の挿入を可能にする。このマイクロ波アンテナアセンブリはまた、センサを備え得、このセンサは、温度センサ、圧力センサ、および流れセンサからなる群より選択される。いくつかのバリエーションにおいて、このセンサは、温度センサである。開示されるマイクロ波アンテナアセンブリを組み立てるための方法もまた、記載される。
【００２４】
特定のバリエーションにおいて、上記補強部材は、接合部材から、遠位放射部分内へと延びる。他のバリエーションにおいて、上記内側導体は、この補強部材を通って延びる。この内側導体は、遠位放射部分に固定され得るか、または他の様式で、この遠位放射部分と電気連絡して配置され得る。なお他のバリエーションにおいて、この補強部材自体は、単一の片として、この内側導体と一体的に形成され得る。さらなるバリエーションにおいて、この内側導体および遠位放射部分自体は、単一の片として、一体的に形成される。上記近位放射部分もまた、単一の片であり得、そしていくつかのバリエーションにおいて、この近位放射部分は、可変の壁厚を有する。このマイクロ波アンテナアセンブリはまた、マイクロ波エネルギーの供給源に接続され得る。
【００２５】
別のバリエーションにおいて、このマイクロ波アンテナアセンブリは、局在した温度感知のための熱伝対をさらに備え、この熱伝対の接続部は、例えば、遠位放射部分に沿って位置する。なおさらなるバリエーションにおいて、このマイクロ波アセンブリは、管腔をさらに備え、この管腔は、近位放射部分の少なくとも一部分を通って延びるか、またはこの近位放射部分の近位を延び、そして例えば、組織に治療因子を送達するため、熱伝対もしくは他の温度センサを提供するため、流体の送達もしくは除去のための吸引ポートとして働くため、または周囲の組織の種々の特徴および／もしくはアンテナの性能を測定もしくは感知するための変換器もしくはセンサの送達のために、このアセンブリの表面で開口する。
【００２６】
このアンテナアセンブリのエネルギーの集束を改善するために、エネルギーチョークがまた、本明細書中に記載されるバリエーションのいずれかにおいて使用されて、このアンテナアセンブリの遠位端への戻り電流を含み得る。このチョークは、放射セクションの近位で、このアンテナ上の誘電性材料の頂部に配置され得る。このチョークは、好ましくは、伝導性層からなり、そしてチュービングまたはコーティングによってさらに覆われて、この伝導性層を、強制的に、下にあるアンテナに適合させ得る。
【００２７】
さらに、チョーク、チュービングまたはコーティング、任意の封止剤層、およびこのアンテナアセンブリ上に配置され得る他の層に対するバリエーションが、使用され得る。特定の層（例えば、このアンテナアセンブリ上に配置される熱収縮層）は、この層内に一体化されたワイヤまたはストランドを有し、このアンテナアセンブリをさらに強化し得る。例えば、ケブラーワイヤが、この層内に一体的に形成され、そしてこのアンテナの軸に対して長手軸方向に配向されて、さらなる強度を提供し得る。
【発明の効果】
【００２８】
本発明により、上で議論された問題を克服することを補助し得る、マイクロ波アンテナプローブが提供される。また、さらなる導入器またはカテーテルを必要とせずに、組織への直接の挿入のために十分に、構造的に強固であり、同時に制御可能かつ予測可能な加熱パターンを生じる、マイクロ波アンテナプローブが提供される。
【発明を実施するための最良の形態】
【００２９】
（詳細な説明）
患者の組織の罹患領域の侵襲性処置の間、外傷が、この患者に作製されて、疼痛および他の合併症を生じ得る。種々のマイクロ波アンテナアセンブリは、本明細書中に記載されるように、現在利用可能なデバイスより外傷性が低く、そして以下でより詳細に記載されるように、このようなデバイスを製造する方法もまた、記載される。一般に、本明細書中に記載されるデバイスおよびアセンブリは、疾患の診断および処置の目的で、組織内にマイクロ波アンテナを直接挿入することを可能にする。図１は、マイクロ波アンテナアセンブリ１０のバリエーションの代表的な図を示す。アンテナアセンブリ１０は、一般に、放射部分１２を備え、この部分は、シャフト１４によって、ケーブル１５を介して、コネクタ１６に接続され得、このコネクタは、さらに、アセンブリ１０を、電力発生源２８（例えば、発電機またはマイクロ波エネルギーの供給源）に接続し得る。アセンブリ１０は、示されるように、双極マイクロ波アンテナアセンブリであるが、他のアンテナアセンブリ（例えば、単極の螺旋状、または漏出性の波アンテナアセンブリ）もまた、本明細書中に記載される原理を利用し得る。放射部分１２の遠位部分２０は、好ましくは、先端２６で終わるテーパ状の端部２４を有し、最小の抵抗で、組織内に挿入することを可能にする。放射部分１２が、既存の開口部に挿入される場合、先端２６は、丸くても平坦であってもよい。
【００３０】
特定の用途において、マイクロ波アンテナは、例えば、このアンテナが組織に直接挿入される場合、このアンテナが挿入後に一時的に屈曲を起こす場合などに、このアンテナが屈曲することを防止するために、充分な構造的強度を必要とする。図２Ａおよび２Ｂは、それぞれ、従来の双極マイクロ波アンテナアセンブリ３０の端面図および断面図を示す。見られるように、アンテナアセンブリ３０は、近位端３２を有し、そして遠位端３４で終わる。この近位端は、本明細書中でさらに議論されるように、シャフト１４に接続され得る。アンテナ３０の放射部分は、近位放射部分３６および遠位放射部分３８を備える。近位放射部分３６は、代表的に、外側導体４２および内側導体４４を有し得、これらの導体の各々は、長手方向軸に沿って延びる。外側導体４２と内側導体４４との間には、代表的に、誘電性材料４６があり、この誘電性材料もまた、導体４２と４４との間で長手軸方向に配置され、これらの導体を隔離する。誘電性材料は、任意の適切な誘電性材料（空気が挙げられる）を構成し得る。遠位部分４８はまた、以下で議論されるように、伝導性材料から作製される。近位放射部分３６および遠位放射部分３８は、接合部４０において整列し、この接合部は、代表的に、誘電性材料から作製され、そしてまた、内側導体４４によって支持され、この導体は、接合開口部５０を通って、遠位部分４８を少なくとも部分的に通って延びる。しかし、従来のアンテナアセンブリ３０の構成は、接合部４０において、構造的に弱い。
【００３１】
従って、アンテナ強度を増加させるために設計された、種々の構成が存在する。このような構成としては、米国特許出願番号１０／０５２，８４８（２００１年１１月２日出願、その全体が本明細書中に参考として援用される）に記載されているものが挙げられる。１つの構成は、このアンテナアセンブリを、圧縮負荷下に置いて、その放射部分を堅くすることを包含する。別の構成は、例えば、螺合様の形態で、この放射部分を一緒に機械的に固定し、屈曲モーメントに耐える接合部を提供することを包含する。さらなる構成は、このアンテナアセンブリの放射部分の間に重なる接合部を作製し、高強度アンテナを提供することを包含する。これらの構成の多くは、一般に、近位放射部分と遠位放射部分のとの間に配置されて、これらを隔離する、接合部材を備える。本明細書中でさらに詳述されるように、本明細書中に記載されるデバイスおよびアセンブリは、種々の構成の補強部材を提供し、これらの補強部材は、接合部材の内部に配置されて、このアセンブリの機能も、製造の容易さも損なうことなく、このアセンブリ全体をさらに堅く強固にする。
【００３２】
（補強された接合部材を有するアンテナアセンブリ）
一般に、図１におけるアンテナアセンブリ１０は、近位放射部分２２が遠位放射部分２０の近位に位置し、接合部材１８が、好ましくは、これらの放射部分の間に位置している、バリエーションを示す。シャフト１４は、ケーブル１５を介して、アンテナアセンブリ１０を発電機２８に電気的に接続し、そして通常、伝導性の金属から製造される同軸ケーブルを備え、このケーブルは、半剛性であっても可撓性であってもよい。シャフト１４はまた、放射部分１２の近位端からケーブル１５の遠位端まで、約１インチ〜１０インチの間の範囲の、可変の長さを有し得る。このシャフトは、銅、金、または類似の伝導度値を有する他の伝導性金属から構成され得るが、シャフト１４は、好ましくは、ステンレス鋼から作製される。これらの金属はまた、他の材料（例えば、他の伝導性材料）で置き換えられて、それらの性能を改善し得る（例えば、伝導性を改善し得るか、またはエネルギー損失を低下させ得るなど）。シャフト１４（例えば、ステンレス鋼から作製されるシャフト）は、好ましくは、約５０Ωのインピーダンスを有し、そしてその伝導率を改善するために、このステンレス鋼は、伝導性材料（例えば、銅または金）の層でコーティングされ得る。ステンレス鋼は、他の金属と同じ伝導性を与えないかもしれないが、ステンレス鋼は、組織および／または皮膚を穿刺するために必要とされる強度を与える。多くのバリエーションにおいて、このシャフトは、さらに、同軸ケーブルを囲む冷却シースを備え、この冷却シースとしては、米国特許出願公開第２００５／００１５０８１号明細書（これは、その全体が本明細書中に参考として援用される）に記載される冷却シースシステムが挙げられるが、これらに限定されない。
【００３３】
作動の際に、波長λを有するマイクロ波エネルギーが、アンテナアセンブリ３０を通して、近位放射部分３６と遠位放射部分３８との両方に沿って、伝達される。次いで、このエネルギーは、周囲の媒体（例えば、組織）内に放射される。効果的な放射のためのアンテナの長さは、少なくとも、有効波長（λｅｆｆ）に依存し得る。この有効波長は、放射される媒体の誘電特性に依存する。アンテナアセンブリ３０からのエネルギーは、放射され、そして周囲の媒体は、それに引き続いて、加熱される。波長λでマイクロ波エネルギーが伝達されるアンテナアセンブリ３０は、例えば、乳房組織とは異なり、周囲の媒体（例えば、肝組織）に依存する、異なる有効波長λｅｆｆを有し得る。有効波長λｅｆｆにはまた、以下にさらに議論されるように、アンテナアセンブリ３０を覆って配置され得るコーティングが影響を与える。
【００３４】
図３Ａ〜３Ｂは、放射部分１２の断面図を示す。示されるように、放射部分１２は、近位放射部分２２および遠位放射部分２０を備える。近位放射部分２２は、代表的に、外側導体４２および内側導体４４であり得、これらの各々は、長手方向軸に沿って延びる。外側導体４２と内側導体４４との間には、代表的に、誘電性材料４６があり、この材料もまた、導体４２と４４との間に長手軸方向に配置されて、これらの導体を電気的に隔離する。誘電性材料は、任意の適切な誘電性材料（空気を含む）を構成し得る。遠位部分２０はまた、以下で議論されるように、誘電性材料から作成される。近位放射部分２２および遠位放射部分２０は、接合部材５０にて整列し、この接合部材は、代表的に、以下でさらに議論されるように、誘電性材料から作製される。示されるように、接合部材５０は、第一の接合嵌合セクション５２および第二の接合嵌合セクション５４を有し、これらのセクションは、それぞれ、遠位部分２０および近位部分２２に接続され得る。接合部材５０は、好ましくは、任意の適切な誘電性材料から構成される。あるいは、誘電性のコーティングまたは層はまた、チャネル６２および６４の内部に適用され得、これが、接合部材５０と接触し得る。第一の嵌合セクション５２および第二の嵌合セクション５４は、各セクション５２、５４のねじ山のピッチが互いに対向するように、すなわち、ねじ切り５６のピッチ角度がねじ切り５８のピッチ角度と対向し得るように、それぞれ、ねじ山５６および５８によって示されるように、ねじ切りされ得る。あるいは、各セクションにおけるねじ山のピッチは、アンテナの組み立てを容易にするために類似の角度になるように、構成され得る。遠位部分２０は、受容空洞またはチャネル６２を有し得、この空洞またはチャネルは、第一の嵌合セクション５２のねじ切り６６のピッチおよび角度に対応するように、所定のピッチでねじ切りされる（６６）。同様に、近位部分２２は、受容空洞またはチャネル６４を有し得、この空洞またはチャネルは、第二の嵌合セクション５４のねじ切り５８のピッチおよび角度に対応するように、所定のピッチでねじ切りされる（６８）。対向するピッチ角度を有することによって、近位部分２２および遠位部分２０を一緒に接合部材５０に螺合させることによりアンテナアセンブリが組み立てられる場合に、しっかりとしたフィットまたは接合を確実にすることが補助され得る。
【００３５】
見られ得るように、チャネル６０は、接合部材５０を通って軸方向に延び、そして補強部材７０を受容する。この補強部材は、ほぼ円筒系であり、そしてチャネル６０内に受容されてこのチャネルを通って延びるように、構成される。この補強部材は、一般に、接合部材より強く硬い材料から形成され、従って、この接合部材を補強する。図示されるバリエーションにおいて、この補強部材は、内側導体４４と一体的に形成され、そして中心セクション７２および遠位セクション７４を備える。この中心セクションは、接合部材５０の内部にあり、そしてこの遠位セクションは、この接合部材から、遠位放射部分内へと遠位に延びる。ワイヤ７８が、セクション７４から遠位に延び、そして遠位放射セクション２０の内周部２１と電気的に接触する。この構成において、この補強部材は、従って、内側導体を、この接合部材に通し、そして遠位放射セクション内へと延ばすように機能する。内側導体４４、補強部材７０、および末端ワイヤ７８を、単一の部品に組み合わせることは、製造上の利点および組み立て上の利点を有する。末端ワイヤ７８は、遠位放射部分への挿入の際に、このワイヤが周囲２１に接触するように、屈曲し得る。この部品は、さらに、止め７６を備え得、この止めは、補強部材７０を、接合部材５０に押し付けて保持し、そしてこの接合部材が、この補強部材に対して近位に移動することを防止する。代替の構成において、この補強部材は、別個の片であり得、これは、遠位セクションを通る内側導体の通過を可能にする。このような代替の構成において、この強化部材は、必ずしも導電性である必要はなく、そして多くの構成において、この補強部材は、誘電性材料から形成されることが望ましくあり得る。この材料は、例えば、最適なアンテナ特徴を保持するように選択され得る。
【００３６】
図４Ａおよび図４Ｂは、補強されたマイクロ波アンテナアセンブリの別のバージョンを示す。このバージョンにおいて、補強部材１７０はまた、内側導管１４４と一体的に形成され、そして中心セクション１７２を備え、この中心セクションは、接合部材１５０の内部に存在する。接合部材１５０は、ねじ切りされた第一の嵌合セクション１５２および第二の嵌合セクション１５４を備え、これらのセクションが、遠位放射セクション１２０のめねじ１６６および近位放射セクション１２２のめねじ１６８に螺合される点で、図３Ａ〜３Ｂの接合部材５０と類似である。補強部材１７０はまた、遠位セクション１７４を備え、この遠位セクションは、この接合部材から、この遠位放射部分内へと延びる。遠位セクション１７４は、その末端部において、ねじ切りされている（１７６）。遠位放射セクション１２０は、テーパ状の遠位先端１２４（テーパ状に示されるが、必ずしもそうでなくてもよい）およびセクション１２３から形成され、これらの各々は、それぞれ、めねじ１２５および１２７を有し、これらのめねじは、示されるように、両方が、補強部材のねじ切り部分１７６と係合するように、整列される。このことは、遠位セクション１７４が、遠位放射部分内へと螺合されることを可能にし、これによって、内側導体１４４と遠位放射部分との間の電気的接触と、遠位補強部分に対する増加した強度および剛性の提供との両方が、提供される。
【００３７】
図８は、適切なアンテナアセンブリの別のバリエーションを図示し、このアセンブリは、接合部材５５０に隣接する、ねじ切りされた第一の嵌合セクションおよび第二の嵌合セクション１０を欠くことを除いて、図４Ａおよび図４Ｂのものと、ほとんどの局面において類似である。このバリエーションにおいて、このアンテナアセンブリは、遠位ねじ山および近位ねじ山によって、一緒に保持される。すなわち、遠位セクション５５６は、その末端部において、ねじ切りされる（５５２）。同様に、近位セクション５５８は、その末端部５５４において、ねじ切りされる。
【００３８】
図５は、補強されたマイクロ波アンテナアセンブリの、さらなるバリエーションを示す。このバリエーションにおいて、遠位放射セクション２２０の全体が、補強部材２７０および内側導体２４４と一体的に形成される。補強部材２７０は、遠位放射セクションが補強部材２７０から遠位に延びた状態で、接合部材２５０の内部に存在する。接合部材２５０は、ねじ切りされた第一の嵌合セクション２５２および第二の嵌合セクション２５４を備える。接合部材２５０の嵌合セクション２５４は、示されるように、外側がねじ切りされ、そして近位放射セクション２２２のめねじ２６８に螺合される。しかし、嵌合セクション２５２は、内部をねじ切りされ、そして接合部材２５０の外部がねじ切りされたセクション２６６に螺合される。接合部材２５０を補強することに加えて、この構成は、遠位放射部分への、内部導体の連続的な電気的連絡を提供する。
【００３９】
（補強された接合部材および熱電対を備えるアンテナアセンブリ）
図６Ａ〜６Ｃは、補強されたマイクロ波アンテナアセンブリのなおさらなるバリエーションをさらに示す。このバリエーションにおいて、補強部材３７０は、接合部材３５０の内部に存在する中心セクション３７２を同様に備える点で、図４Ａおよび図４Ｂの補強部材１７０と類似である。接合部材３５０は、ねじ切りされた第一の嵌合セクション３５２および第二の嵌合セクション３５４を備え、これらのセクションが、遠位放射セクション３２０のめねじ３６６および近位放射セクション３２２のめねじ３６８に螺合される点で、図３Ａ〜３Ｂおよび図４の接合部材５０および１５０と類似である。補強部材３７０は、遠位セクション３７４を備え、この遠位セクションは、この接合部材から、遠位放射部分へと遠位に延びる。遠位セクション３７４は、その末端部において、ねじ切りされる（３７６）。遠位放射セクション３２０は、テーパ状の遠位先端３２４およびセクション３２２から形成され、これらの各々は、それぞれめねじ３２５および３２７を有し、これらのめねじは、示されるように、両方が補強部材のねじ切りされた部分３７６と係合するように、整列される。このことは、遠位セクション３７４が、遠位放射部分に螺合されて、この遠位放射部分に、増加された強度および剛性を提供することを可能にする。しかし、補強部材１７０とは異なり、補強部材３７０は、中心チャネル３７７を備え、このチャネルは、内側導体３４４を受容し、そしてこの内側導体が、接合部材３５０を通過することを可能にする。図６Ｂに最も明瞭に示されるように、内部導体３４４は、このアセンブリの長さに沿って、その遠位先端３２４まで延び、この遠位先端において、この内側導体は、このアセンブリから出る。内側導体３４４は、針先端３４５で終結する。また示されるように、この内側導体は、中空であり、熱伝対３８０の通過を可能にする。この熱伝対は、熱電対接合部３８２を先端において、この内側導体の管腔内に位置決めされる。先端３８２は、丸いかまたは鈍角であるように示されるが、このことは、必ずしも必須ではない。すなわち、先端３８２は、任意の適切な形状を有し得る。例えば、この先端は、鋭利な、すなわち、穿孔性の遠位端を有し得る。さらに、熱電対３８０は、アンテナの内部でスライド可能であり得、そしてさらに、このアンテナの遠位端から延びるように、構成され得る。先端３８２と同様に、熱電対３８０は、任意の適切な形状を有し得る。例えば、この先端は、この先端がこのアンテナの遠位端から展開される場合に、この先端が、湾曲した構成を呈するように、構成され得る。この熱電対は、このデバイスが作動される場合に、組織の局所的な温度の読み取りを提供し得、そしてモニタリングし得る。他のモニタリングデバイスが、この内側導体の管腔を通して展開され得る。これらのデバイスとしては、例えば、電気刺激、磁気刺激、光学刺激、熱刺激または機械的刺激に応答する、センサおよび変換器が挙げられるが、これらに限定されない。この内側導体の管腔はまた、流体（例えば、洗浄流体）または治療剤を送達するため、あるいは組織または流体サンプルを取り出すために、使用され得る。さらなる熱伝対または他のモニタリングデバイスもまた、提供され得る。例えば、図６Ｃに最も明瞭に示されるように、熱伝対接合部３９２を有する熱伝対３９０が、近位放射セクション３２２の近位で、管腔３４７の内部で、外側導体３４２とシャフト３１４との間に位置決めされる。管腔３４７は、例えば、冷却流体を収容し得、そして熱伝対３９０は、このような冷却流体の温度を測定するために使用され得る。
【００４０】
（補強された接合部材および冷却チャンバを有するアンテナアセンブリ）
図７は、補強されたマイクロ波アンテナアセンブリの、別のバリエーションを示す。このバリエーションにおいて、補強部材４７０は、図４Ａの補強部材１７０と類似である。接合部材４５０もまた、ねじ切りされた第一の嵌合セクション４５２および第二の嵌合セクション４５４を有し、これらのセクションが、遠位放射セクション４２０のめねじ４６６および近位放射セクション４２２のめねじ４６８に螺合される点で、図４Ａの接合部材１５０と類似である。補強部材４７０は、遠位セクション４７４を備え、この遠位セクションは、この接合部材から、遠位放射部分へと遠位に延びる。遠位セクション４７４は、その末端部において、ねじ切りされる（４７６）。遠位放射セクション４２０は、テーパ状の遠位先端４２４で終結する（しかし、記載されるように、いくつかの状況において、この遠位先端は、必ずしもテーパ状でなくてもよい）。
【００４１】
誘電性物質４４６が、内側導体４４４と外側導体４４８との間で長手軸方向に位置決めされて、これらの導体を電気的に隔離する。このバリエーションにおいて、冷却管４５６が、外側導管４４８に隣接して長手軸方向に位置決めされ、そして冷却ジャケット４５８が、冷却管４５６に隣接して長手軸方向に位置決めされ、冷却チャンバを作製する。図７には示されないが、この冷却管の近位端は、冷却流体の供給源に接続される。この冷却流体は、冷却管４５６（例えば、ポリイミド管など）を通過し、冷却ジャケット４５８にすぐ隣接する組織を冷却して、火傷または他の組織損傷を防止する。この冷却流体は、任意の適切な流体（例えば、水、生理食塩水など）であり得る。
【００４２】
（材料および方法）
本明細書中に記載されるアンテナアセンブリにおいて使用される接合部材は、好ましくは、誘電性材料（例えば、セラミックまたは他の適切な誘電性物質）から作製される。適切な誘電性材料の例示的な例としては、Ａｌ２Ｏ３、窒化ホウ素、安定化ジルコニア、空気などが挙げられるが、これらに限定されない。あるいは、接合部材は、金属で作製され得、そして誘電性物質またはポリマー（例えば、ポリイミドまたはＵｌｔｅｍＴＭのような高温ポリマー）で十分にコーティングされ得る（ただし、この誘電性コーティングが充分な断熱を提供するために十分に厚い場合）。エネルギーが、使用の間に組織に直接伝達されることを防止するために、約０．０００１インチ〜０．０２５インチの厚さを有する誘電性層が、このアンテナアセンブリを直接覆ってコーティングされ得る。この誘電性コーティングは、放射されるエネルギーを増加させ、そして好ましくは、セラミック材料（例えば、Ａｌ２Ｏ３、ＴｉＯ２など）から作製され、そしてまた、必要に応じて、潤滑材料（例えば、Ｔｅｆｌｏｎ（登録商標）、ポリテトラフルオロエチレン（ＰＴＦＥ）またはフッ素化エチレンプロピレン（ＦＥＰ）など）でさらにコーティングされ得る。この誘電性コーティングに加えて、封止剤層もまた、このアンテナアセンブリを直接覆ってか、または好ましくは、この誘電性層を覆って、コーティングされ、患者への挿入を容易にし得、そして組織がこのアンテナアセンブリに付着することを防止する滑らかな表面を提供し得る。この封止剤層は、種々の任意のポリマーであり得るが、好ましくは、熱可塑性ポリマーであり、そして数Åから、手近な適用のために必要とされるだけの厚さまで、変動する厚さを有し得る。この封止剤層は、種々の熱可塑性ポリマー（例えば、熱収縮ポリマー（例えば、ポリエチレン（ＰＥ）、ポリエチレンテレフタレート（ＰＥＴ）、ポリテトラフルオロエチレン（ＰＴＦＥ）、フッ素化エチレンプロピレン（ＦＥＰ）、パーフルオロアルコキシ（ＰＦＡ）、クロロトリフルオロエチレン（ＣＴＦＥ）、エチレンクロロトリフルオロエチレン（ＥＣＴＦＥ）およびエチレンテトラフルオロエチレン（ＥＴＦＥ）））から作製され得る。アンテナアセンブリを覆うこれらのコーティングの厚さを変化させることによって、このアンテナによって伝達される放射線の有効波長（λｅｆｆ）が変動し得る。従って、このアセンブリを覆うこのコーティングの厚さを変化させて、所望の結果に依存する所定の有効波長を達成し得る。
【００４３】
このアセンブリから放射されるエネルギーの量を最適化する好ましい方法は、近位放射部分の長さを、アセンブリを通して伝達される放射線のｎλ／４（ここで、ｎは、任意の整数である）の長さに対応するように調節すること、および同様に、遠位放射部分および接合部の累積長さ（または全長）を、これもまたｎλ／４の長さに対応するように調節することを包含し得る。近位放射部分および遠位放射部分の長さを、伝達されるマイクロ波の波長に対応するように調節することは、放射されるエネルギーの量、および従って、引き続いて加熱される媒体または組織の量を最適化するために、なされ得る。近位放射部分および遠位放射部分の実際の長さは、もちろん、変動し得、そしていずれの特定のｎλ／４の長さにも適合するように制限されない。アンテナアセンブリがエネルギーを放射する場合、切除領域は、三次元で変動し得、そしておよそ球状または楕円体状であり得、この球状または楕円体状は、接合部材を中心とし、そして近位放射部分および遠位放射部分の端部まで広がる。
【００４４】
遠位先端の位置は、このアセンブリを通して伝達される放射線の、ｎλ／４の距離に比例し得る。しかし、この遠位先端は代表的に、テーパ状の端部で終結するので、このテーパの角度の付いた表面が考慮され得る。従って、この接合部材と遠位放射部分（あらゆるテーパ状の端部を含む）の外側表面に沿った距離全体が、ｎλ／４の距離と一致し得る。近位放射部分の長さもまた、上記のように、ｎλ／４の距離と一致し得る。このアンテナの放射部分の長さを、波長λの距離に対応させることは、好ましいが、上記のように、このことは必ずしも、このデバイスの作動のためには、必須ではない。すなわち、第一の波長に従う長さを有する放射部分を有するアンテナアセンブリは、一般に、第二の波長、または第三の波長などを有する放射線を伝達するためになお使用され得るが、効率は、低下する可能性がある。また、上に記載されたバリエーションは、双極アンテナアセンブリに関するが、単極アンテナアセンブリもまた、企図される。
【００４５】
アンテナアセンブリのエネルギー集束を改善するために、電気チョークがまた使用されて、戻り電流をこのアンテナの遠位端に閉じ込め得る。これは、２００１年１１月２日に出願され、全体が本明細書中に参考として援用される、米国特許出願番号１０／０５２，８４８に記載されている。一般に、このチョークは、このアンテナ上で、放射セクションより近位に配置され得る。このチョークは、好ましくは、このアンテナを覆って配置され得る誘電性材料を覆って、配置される。このチョークは、好ましくは、伝導性層であり、そしてチュービングまたはコーティングによってさらに覆われ、この誘電性層を、下にあるアンテナに強制的に従わせ得、これによって、電気的接続（または短絡）を、強制的に、より遠位にし、そして放射セクションにより近付ける。このチョークとその下にあるアンテナとの間の電気的接続はまた、他の接続方法（例えば、はんだ付け、溶接、鑞付け、圧着、伝導性接着剤の使用など）によって、達成され得る。
【００４６】
さらなる工程が、必要に応じてなされて、これらの層のいずれか（例えば、封止剤層または上で議論された他の熱収縮層のいずれか）を変更することによって、アンテナアセンブリの強度をさらに増加させ得る。ワイヤまたはストランドが、これらの層の内部または表面に形成されて、強度を増加させ得、そして好ましくは、これらのワイヤまたはストランドは、このアンテナの長さに沿って長手軸方向に配向され、その結果、このアンテナの屈曲強度が、増加される。これらの層は、上で議論されたように、外側導体を覆って形成され得、そしてこれらのワイヤは、任意の高強度材料（例えば、ケブラー、金属など）から作製され得る。金属ワイヤが使用され得るが、ただし、これらのワイヤは、絶縁される。
【００４７】
（アンテナの展開）
上記のように、このマイクロ波アンテナは、組織内および処置されるべき病巣内に、直接挿入され得る。しかし、挿入の間、このアンテナは、組織のいくらかの領域から（特に、例えば、乳房において見出されるいずれかの組織において）の抵抗に遭遇し得る。このマイクロ波アンテナが、抵抗に遭遇する場合、力が加えられると、組織の損傷が生じ得るか、または標的組織が、不利に押しやられ得る。これは、周囲の組織に対する標的組織の密度の差に起因する。従って、ＲＦエネルギーはまた、このマイクロ波アンテナと供に、組織内での展開を容易にするために利用され得る。
【００４８】
使用の際に、ＲＦエネルギーは、単に、このアンテナが組織に通して前進する時間全体にわたって残され得るか、またはこのエネルギーは、このアンテナが組織からの抵抗に遭遇する場合に必要とされるだけ適用され得るか、もしくはオンにされ得る。ＲＦエネルギーが作動されると、このアンテナは、このＲＦエネルギーを利用してさらに進められ、妨害している組織を突っ切り得る。一旦、このアンテナが、組織の病巣または領域内で望ましいように位置決めされると、このＲＦエネルギーは、オンである場合、オフに切り替えられ得、そしてマイクロ波エネルギーがオンに切り替えられて、処置を実施し得る。
【００４９】
特定のバリエーションにおいて、このアセンブリは、ＲＦエネルギーを、このアンテナの遠位先端において、アンテナの展開の間の切断機構として、使用し得る。このマイクロ波アンテナは、好ましくは、その長さの大部分に沿って、何らかの絶縁材料で覆われるが、遠位先端は、絶縁されず、その結果、ＦＷエネルギーが、内側導体を通して、この遠位先端に付与され得る。ＲＦエネルギーの切断機構をこの遠位先端において利用するために、この内側導体は、Ｎｉｔｉｎｏｌ、タングステン、ステンレス鋼、または他の何らかの伝導性金属から作製され得る。
【００５０】
このアンテナアセンブリは、ＲＦ発生器に電気的に接続され得る。このＲＦ発生器は、このアンテナを組織または病巣内に配置および位置決めする間、ＲＦエネルギーを、この遠位先端に提供する。このアンテナが病巣内で望ましいように位置決めされた後に、コネクタは、ＲＦケーブルから取り外され得、そしてマイクロ波ケーブルを介してマイクロ波発生器に取り付けられ、組織の処置を実施するためのマイクロ波エネルギーを提供し得る。
【００５１】
あるいは、このアセンブリの遠位先端の小さい表面積を考慮すると、低出力のＦＷ発生器が利用され得、そしてマイクロ波発生器と一緒に一体型ユニットとして構築され得る。あるいは、任意のＲＦ発生器が、マイクロ波発生器から物理的に隔離され得、そしてこのアンテナに、別個のユニットとして、電気的に接続され得る。
【００５２】
上に記載された、可能なアンテナ展開の方法およびデバイスの例とは別に、展開および組織への挿入に対する他のバリエーションが、利用され得る。アンテナの展開および挿入のための、潜在的な他の方法およびデバイスは、発明の名称「Ｍｉｃｒｏｗａｖｅ  Ａｎｔｅｎｎａ  Ｈａｖｉｎｇ  Ａ  Ｃｕｒｖｅｄ  Ｃｏｎｆｉｇｕｒａｔｉｏｎ」の、２００２年９月１５日に出願された、同時係属中の米国特許出願に見出され得、この特許出願は、共有に係り、そしてその全体が、本明細書中に参考として援用される。
【００５３】
（使用方法）
マイクロ波アンテナを使用する際に、いくつかの異なる方法が利用され得る。これらの方法としては、単一のアンテナの使用または複数のアンテナの使用が挙げられる。これは、２００１年１１月２日に出願された、米国特許出願番号１０／０５２，８４８にさらに開示されており、この出願は、その全体が、本明細書中に参考として援用される。
【００５４】
上で議論された、アンテナアセンブリの適用およびこれらのアセンブリの作製方法は、高熱処置、切除処置および凝固処置のためのマイクロ波アンテナの使用に限定されず、多数のさらなるマイクロ波アンテナの適用が挙げられ得る。本発明を実施するための、上記アセンブリおよび方法の改変、ならびに本発明の局面の、当業者に明らかなバリエーションは、特許請求の範囲の範囲内であることが意図される。
【図面の簡単な説明】
【００５５】
【図１】図１は、本明細書中に記載されるマイクロ波アンテナアセンブリのバリエーションの代表的な図を示す。
【図２Ａ】図２Ａは、従来のマイクロ波アンテナアセンブリの断面図を示す。
【図２Ｂ】図２Ｂは、従来のマイクロ波アンテナアセンブリの断面図を示す。
【図３Ａ】図３Ａは、本明細書中に記載されるアセンブリの１つのバリエーションに従う、接合部材および補強部材を示す、マイクロ波アンテナアセンブリの側面断面図を示す。
【図３Ｂ】図３Ｂは、図３Ａのアセンブリの、線３Ｂ−３Ｂによって指定される面に沿って見た断面図を示す。
【図４Ａ】図４Ａは、記載されるマイクロ波アンテナアセンブリの別のバリエーションに従う、接合部材および補強部材を示す、マイクロ波アンテナアセンブリの側面断面図を示す。
【図４Ｂ】図４Ｂは、記載されるマイクロ波アンテナアセンブリの別のバリエーションに従う、接合部材および補強部材を示す、マイクロ波アンテナアセンブリの斜視断面図を示す。
【図５】図５は、本明細書中に記載されるマイクロ波アンテナアセンブリのなお別のバリエーションに従う、接合部材および補強部材を示す、マイクロ波アンテナアセンブリの断面図を示す。
【図６Ａ】図６Ａは、本明細書中に記載されるマイクロ波アンテナアセンブリのさらなるバリエーションに従う、接合部材および補強部材を示す、マイクロ波アンテナアセンブリの断面図を示す。
【図６Ｂ】図６Ｂは、図６Ａのマイクロ波アンテナアセンブリの遠位セクションの拡大断面図を示す。
【図６Ｃ】図６Ｃは、図６Ａのマイクロ波アンテナアセンブリの近位セクションの拡大断面図を示す。
【図７】図７は、本明細書中に記載されるマイクロ波アンテナアセンブリのさらなるバリエーションに従う冷却チャンバを示す、マイクロ波アンテナアセンブリの断面図を示す。
【図８】図８は、接合部材に隣接する螺合嵌合セクションなしでの、マイクロ波アンテナアセンブリの断面図を示す。
【符号の説明】
【００５６】
１０  マイクロ波アンテナアセンブリ
１２  放射部分
１８  接合部材
２８  発電源
３６  近位放射部分
３８  遠位放射部分
【図１】
2006314785.tif 000003
【図２Ａ】
2006314785.tif 000004
【図２Ｂ】
2006314785.tif 000005
【図３Ａ】
2006314785.tif 000006
【図３Ｂ】
2006314785.tif 000007
【図４Ａ】
2006314785.tif 000008
【図４Ｂ】
2006314785.tif 000009
【図５】
2006314785.tif 000010
【図６Ａ】
2006314785.tif 000011
【図６Ｂ】
2006314785.tif 000012
【図６Ｃ】
2006314785.tif 000013
【図７】
2006314785.tif 000014
【図８】
2006314785.tif 000015